(57)【要約】【課題】外気が低温の状態であっても、空気熱交換器の着霜を確実に判定可能なヒートポンプ式給湯機を提供する。【解決手段】空気熱交換器１２を通過の際に外気の熱を吸収した冷媒が供給される水熱交換器１３に、貯湯タンク１４から送り出された湯水を流入させて昇温させ、貯湯タンク１４に戻して沸き上げを行うヒートポンプ式給湯機１０において、沸き上げ能力の積算平均値が所定回数連続する条件１と、外気の温度に応じて選択した調整温度を外気の温度から差し引いた値が、空気熱交換器１２の温度値に比べて、所定時間、継続して大きい条件２とが満たされた際に、空気熱交換器１２に着霜が生じたとの判定をして運転モードを沸き上げ運転から除霜運転に切り替える制御手段３２を備え、制御手段３２は、複数の温度域を、温度が低い温度域ほど高温の調整温度を紐付けて記憶し、外気の温度が属する温度域に紐付いた調整温度を条件２で選択する。【選択図】図１
2015094517.tif 000002
【特許請求の範囲】
【請求項１】
循環回路を循環し空気熱交換器を通過の際に外気の熱を吸収した冷媒が供給される水熱交換器に、貯湯タンクから送り出された湯水を流入させて昇温させ、該貯湯タンクに戻して沸き上げを行うヒートポンプ式給湯機において、
前記水熱交換器での前記湯水の昇温幅を基に所定の時間間隔で沸き上げ能力を算出して得た該沸き上げ能力の積算平均値が所定回数連続して低下する条件１と、前記外気の温度に応じて選択した調整温度を該外気の温度から差し引いた値が、前記空気熱交換器の温度値に比べて、所定時間、継続して大きい条件２とが満たされた際に、前記空気熱交換器に着霜が生じたとの判定をして運転モードを沸き上げ運転から除霜運転に切り替える制御手段を備え、前記制御手段は、複数の温度域を、温度が低い該温度域ほど高温の前記調整温度を紐付けて記憶し、前記外気の温度が属する前記温度域に紐付いた前記調整温度を前記条件２で選択することを特徴とするヒートポンプ式給湯機。
【請求項２】
請求項１記載のヒートポンプ式給湯機において、前記温度域は少なくとも３つあることを特徴とするヒートポンプ式給湯機。
【請求項３】
循環回路を循環し空気熱交換器を通過の際に外気の熱を吸収した冷媒が供給される水熱交換器に、貯湯タンクから送り出された湯水を流入させて昇温させ、該貯湯タンクに戻して沸き上げを行うヒートポンプ式給湯機において、
前記水熱交換器での前記湯水の昇温幅を基に所定の時間間隔で沸き上げ能力を算出して得た該沸き上げ能力の積算平均値が所定回数連続して低下する条件１と、前記湯水の温度に合わせて選択された時間Ｔの間、前記外気の温度から調整温度を差し引いた値が、前記空気熱交換器の温度値に比べて、継続して大きい条件２とが満たされた際に、前記空気熱交換器に着霜が生じたとの判定をして運転モードを沸き上げ運転から除霜運転に切り替える制御手段を備え、前記制御手段は、前記水熱交換器に流入する前記湯水が所定温度以上の際に、該所定温度未満の際より長い時間Ｔを選択することを特徴とするヒートポンプ式給湯機。
【発明の詳細な説明】
【技術分野】
【０００１】
本発明は、外気から得た熱によって湯を沸かすヒートポンプ式給湯機に関する。
【背景技術】
【０００２】
ヒートポンプ式給湯機は、空気熱交換器による熱交換によって外気の熱を冷媒に取り込み、その冷媒を循環させて貯湯タンク内を沸き上げる。空気熱交換器は、表面に霜が生じると、熱交換効率が下がり、貯湯タンク内を沸き上げる沸き上げ能力の低下を招く。
そこで、ヒートポンプ式給湯機には、空気熱交換器に着霜ありと判定したタイミングで除霜運転を行うものがあり、その具体例が特許文献１に記載されている。
【０００３】
特許文献１に記載のヒートポンプ式給湯機は、貯湯タンクの底部から送り出された湯水を、外気から取り込んだ熱によって加熱して貯湯タンクの上部に戻し、貯湯タンク内の沸き上げを行う。貯湯タンク内の沸き上げが行われている間、貯湯タンクから送り出された湯水の温度、貯湯タンクに戻される湯水の温度、及び、貯湯タンクから湯水を送り出すポンプの出力を基にして、所定の時間間隔で沸き上げ能力が算出され、算出された沸き上げ能力の値から、沸き上げ能力の積算平均値が求められる。
【０００４】
そして、ヒートポンプ式給湯機は、沸き上げ能力の積算平均値が所定回数連続して低下し、かつ、所定時間、（空気熱交換器の温度）≦（外気温度）−αの状態が継続した際に、空気熱交換器に着霜ありと判定する。α＝９℃である。
ここで、貯湯タンク内が沸き上げ完了に近づき、貯湯タンクの底部から送り出される湯水の温度が上昇すると、算出される沸き上げ能力の値は、空気熱交換器の着霜の有無に関係なく、低くなる。そのため、沸き上げ能力の積算平均値に加えて空気熱交換器の温度と外気温度の関係を着霜の判定条件に採用することで、貯湯タンク内が沸き上げ完了に近づいた際に着霜の誤判定が生じるのを抑制している。
【先行技術文献】
【特許文献】
【０００５】
【特許文献１】特開２００３−２２２３９２号公報
【発明の概要】
【発明が解決しようとする課題】
【０００６】
しかしながら、特許文献１に記載されている空気熱交換器の着霜の有無の判定には、以下に記載する解決すべき課題が存在していた。
実験の結果、空気熱交換器への着霜による沸き上げ能力の連続低下があった後に、空気熱交換器の温度低下が生じるため、α＝９℃は、（空気熱交換器の温度）≦（外気温度）−αになった際、既に空気熱交換器への着霜レベルが大きくなっている。
【０００７】
着霜レベルが大きいと、霜を取り去るのに長時間の除霜運転を要することになるが、除霜運転の間は、貯湯タンク内を沸き上げる沸き上げ運転を行えず、結果として、貯湯タンク内の沸き上げが目標時刻までに完了しないという問題が発生する。
この問題の回避には、αに９℃より小さい値を採用することが考えられるが、そうすることにより、別の問題の発生が顕著になることが確認された。
【０００８】
即ち、外気が−２０℃以上−５℃以下の環境下では、貯湯タンク内の沸き上げの際に、空気熱交換器の温度が外気の温度を大幅に下回り、空気熱交換器に着霜がないにもかかわらず、大半において、（空気熱交換器の温度）≦（外気温度）−αとなり、実質的に、沸き上げ能力の積算平均値のみで空気熱交換器の着霜が判定される。実際に、本願の発明者らは、特に、沸き上げ完了が間近なタイミングで、不要な除霜運転がなされることを確認した。
【０００９】
そして、除霜運転中、沸き上げ運転は行えないため、不要な除霜運転を行うことにより、夜間の時間帯が終了するまでに、沸き上げを完了できないことがしばしば生じる。特に、外気温度が低いほど沸き上げ完了までに長い時間を要し、沸き上げの完了が目標時刻に対して大幅に遅延する。
本発明は、かかる事情に鑑みてなされるもので、外気が低温の状態であっても、空気熱交換器の着霜を確実に判定可能なヒートポンプ式給湯機を提供することを目的とする。
【課題を解決するための手段】
【００１０】
前記目的に沿う第１の発明に係るヒートポンプ式給湯機は、循環回路を循環し空気熱交換器を通過の際に外気の熱を吸収した冷媒が供給される水熱交換器に、貯湯タンクから送り出された湯水を流入させて昇温させ、該貯湯タンクに戻して沸き上げを行うヒートポンプ式給湯機において、前記水熱交換器での前記湯水の昇温幅を基に所定の時間間隔で沸き上げ能力を算出して得た該沸き上げ能力の積算平均値が所定回数連続して低下する条件１と、前記外気の温度に応じて選択した調整温度を該外気の温度から差し引いた値が、前記空気熱交換器の温度値に比べて、所定時間、継続して大きい条件２とが満たされた際に、前記空気熱交換器に着霜が生じたとの判定をして運転モードを沸き上げ運転から除霜運転に切り替える制御手段を備え、前記制御手段は、複数の温度域を、温度が低い該温度域ほど高温の前記調整温度を紐付けて記憶し、前記外気の温度が属する前記温度域に紐付いた前記調整温度を前記条件２で選択する。
【００１１】
第１の発明に係るヒートポンプ式給湯機において、前記温度域は少なくとも３つあるのが好ましい。
【００１２】
前記目的に沿う第２の発明に係るヒートポンプ式給湯機は、循環回路を循環し空気熱交換器を通過の際に外気の熱を吸収した冷媒が供給される水熱交換器に、貯湯タンクから送り出された湯水を流入させて昇温させ、該貯湯タンクに戻して沸き上げを行うヒートポンプ式給湯機において、前記水熱交換器での前記湯水の昇温幅を基に所定の時間間隔で沸き上げ能力を算出して得た該沸き上げ能力の積算平均値が所定回数連続して低下する条件１と、前記湯水の温度に合わせて選択された時間Ｔの間、前記外気の温度から調整温度を差し引いた値が、前記空気熱交換器の温度値に比べて、継続して大きい条件２とが満たされた際に、前記空気熱交換器に着霜が生じたとの判定をして運転モードを沸き上げ運転から除霜運転に切り替える制御手段を備え、前記制御手段は、前記水熱交換器に流入する前記湯水が所定温度以上の際に、該所定温度未満の際より長い時間Ｔを選択する。
【発明の効果】
【００１３】
第１の発明に係るヒートポンプ式給湯機は、調整温度は複数あってそれぞれ温度が異なり、制御手段が、複数の温度域を、温度が低い温度域ほど大きい値の調整温度を紐付けて記憶し、外気の温度が属する温度域に紐付いた調整温度を用いて空気熱交換器の着霜を判定するので、外気の温度に応じて調整温度の値を切り替えることができ、外気が低温の状況下においても、調整温度を固定した場合に比べ、正確に着霜の判定を行うことが可能である。
【００１４】
第２の発明に係るヒートポンプ式給湯機は、制御手段が、水熱交換器に流入する湯水が所定温度以上である際の時間Ｔを、水熱交換器に流入する湯水が所定温度未満である際より大きい値とするので、沸き上げ完了が近づき水熱交換器に流入する湯水の温度が高くなったことを加味することができ、外気が低温の状況下においても、時間Ｔを固定した場合に比べ、正確に着霜の判定を行うことが可能である。
【図面の簡単な説明】
【００１５】
【図１】本発明の一実施の形態に係るヒートポンプ式給湯機の説明図である。
【図２】同ヒートポンプ式給湯機の貯湯タンクの沸き上げを示す説明図である。
【図３】同ヒートポンプ式給湯機の除霜運転の説明図である。
【図４】比較例に係る沸き上げ中の除霜運転の有無を示すグラフである。
【図５】比較例に係る沸き上げ中の除霜運転の有無を示すグラフである。
【図６】実施例に係る沸き上げ中の除霜運転の有無を示すグラフである。
【図７】実施例に係る沸き上げ中の除霜運転の有無を示すグラフである。
【発明を実施するための形態】
【００１６】
続いて、添付した図面を参照しつつ、本発明を具体化した実施の形態につき説明し、本発明の理解に供する。
図１に示すように、本発明の一実施の形態に係るヒートポンプ式給湯機１０は、循環回路１１を循環し空気熱交換器１２を通過の際に外気の熱を吸収した冷媒が供給される水熱交換器１３に、貯湯タンク１４から送り出された湯水（湯又は水を意味し、以下、同じとする）を流入させて昇温させ、貯湯タンク１４に戻して沸き上げを行う。以下、詳細に説明する。
【００１７】
湯水を貯留する縦長の貯湯タンク１４は、図１に示すように、上部に出湯管１５が接続され、底部に水道管１６が接続されている。貯湯タンク１４から出湯管１５に湯が送り出されると、水道管１６から貯湯タンク１４内に水道水が給水される。
貯湯タンク１４には、異なる高さ位置にそれぞれ複数の温度センサ１７が取り付けられ、各温度センサ１７は、タンク側制御手段１８に接続されている。タンク側制御手段１８は、各温度センサ１７の計測温度を取得して、貯湯タンク１４内に蓄えられている湯量を算出可能である。なお、タンク側制御手段１８は、マイクロコンピュータによって構成することができる。
【００１８】
貯湯タンク１４の底部と上部は、循環ポンプ１９、水熱交換器１３及び三方弁２０が設けられた循環回路２１によって接続されている。循環ポンプ１９が作動すると、貯湯タンク１４内の湯水は、貯湯タンク１４の底部から循環回路２１に流入し、循環ポンプ１９、水熱交換器１３及び三方弁２０を順に通って、貯湯タンク１４の上部に送られる。
三方弁２０には、一端が貯湯タンク１４の底部に接続されたバイパス管２２の他端が連結され、タンク側制御手段１８に接続された三方弁２０は、タンク側制御手段１８から送信される信号により、湯水の吐出先を、貯湯タンク１４の上部から貯湯タンク１４の底部に切り替える。
そして、循環回路２１には、水熱交換器１３に流入する湯水の温度を計測する温度センサ２３、及び、水熱交換器１３を通過した湯水の温度を計測する温度センサ２４が取り付けられている。
【００１９】
また、水熱交換器１３に接続された循環回路１１には、膨張弁２５、空気熱交換器１２及び圧縮機２６が設けられている。循環回路１１に収容されている冷媒は、圧縮機２６の作動によって、図２に示すように、圧縮機２６、水熱交換器１３、膨張弁２５及び空気熱交換器１２を順に通って圧縮機２６に戻り、循環回路１１を循環する。
循環回路１１を循環する冷媒は、膨張弁２５で減圧された後、空気熱交換器１２を通過の際に蒸発して外気から吸熱し、圧縮機２６に送られて加圧される。圧縮機２６から吐出された冷媒は、水熱交換器１３に送られ、水熱交換器１３を通過中に循環回路２１を循環する湯水に熱を与え加熱する。
【００２０】
空気熱交換器１２の近傍にはプロペラファン２７が設けられ、プロペラファン２７は、空気熱交換器１２の表面に外気を供給して空気熱交換器１２を通過中の冷媒と外気の熱交換を促進する。
圧縮機２６の冷媒の流入側に配置されたアキュムレータ２８は、液状の冷媒を取り除いてガス状の冷媒のみを圧縮機２６に供給する。
【００２１】
循環回路１１には、冷媒の流れに沿って圧縮機２６の上流側及び下流側にそれぞれ、温度センサ２９、３０が取り付けられ、空気熱交換器１２には、温度センサ３１が装着されている。温度センサ２９、３０、３１には、制御手段３２が接続され、制御手段３２は、温度センサ２９を通じて圧縮機２６に送られる冷媒の温度を検出し、温度センサ３０を通じて圧縮機２６から吐出された冷媒の温度を検出し、温度センサ３１を通じて空気熱交換器１２の温度を検出することができる。
【００２２】
制御手段３２は、温度センサ２９、３０、３１の他、温度センサ２３、２４、膨張弁２５、圧縮機２６及びプロペラファン２７に接続され、更に、外気の温度を計測する温度センサ３３にも接続されている。制御手段３２は、例えば、マイクロコンピュータによって構成され、温度センサ３３が計測した外気の温度を取得可能である。
そして、制御手段３２は、タンク側制御手段１８にも接続され、タンク側制御手段１８から貯湯タンク１４内の湯量の情報を取得し、その情報を基に圧縮機２６の作動を制御する。
【００２３】
タンク側制御手段１８は、時刻管理機能を有し、電力使用料が安価となる夜間の時間帯（例えば、午後１０時〜翌朝の午前８時）に、制御手段３２に対して沸き上げ開始の信号を送信し、制御手段３２は、圧縮機２６を作動させて循環回路１１に冷媒を循環させると共に、タンク側制御手段１８を介して循環ポンプ１９に信号を送信し循環ポンプ１９を作動させ、貯湯タンク１４内の沸き上げを行う。
貯湯タンク１４内の湯水は、循環ポンプ１９の作動により貯湯タンク１４から循環回路２１に送り出され、水熱交換器１３を通過の際に循環回路１１を循環する冷媒と熱交換される。
【００２４】
水熱交換器１３は、水熱交換器１３において冷媒が湯水より所定温度（例えば２℃）以上高温の際に湯水を加熱でき、冷媒が湯水より所定温度以上高温の状態にないとき湯水を加熱できない。
制御手段３２は、運転モードが貯湯タンク１４内を沸き上げる沸き上げ運転となっている間、圧縮機２６の作動レベルを調整し、水熱交換器１３を通過する冷媒が、湯水を加熱可能な温度に保って、貯湯タンク１４内の湯水を沸き上げる。
【００２５】
制御手段３２は、沸き上げ運転がなされている間、温度センサ２４から温度センサ２４の計測温度を所定の時間間隔で取得する。そして、温度センサ２４の計測温度が所定温度（本実施の形態では４０℃）以下であるとき、制御手段３２は、タンク側制御手段１８を介して三方弁２０に信号を送信し、三方弁２０の湯水の送り先をバイパス管２２を経由した貯湯タンク１４の底部に設定する。
【００２６】
一方、制御手段３２は、温度センサ２４の計測温度が所定温度を超えるとき、タンク側制御手段１８を介して三方弁２０に信号を送信し、三方弁２０の湯水の送り先を貯湯タンク１４の上部に切り替える。
制御手段３２は、このように三方弁２０の湯水の送り先を切り替えることにより、貯湯タンク１４内の上部に低温水が流入するのを防止している。
【００２７】
また、循環回路１１には熱交換器３４が設けられ、熱交換器３４は、水熱交換器１３から膨張弁２５に向かう冷媒と空気熱交換器１２から圧縮機２６に向かう冷媒を熱交換する。循環回路１１を循環する冷媒は、膨張弁２５を通過の際に温度が低下し、膨張弁２５を通過前の温度が、膨張弁２５及び空気熱交換器１２を通過した後に比べ高い。従って、熱交換器３４は、水熱交換器１３から膨張弁２５に向かう冷媒の熱を空気熱交換器１２から圧縮機２６に送られる冷媒に与え加熱することとなる。
【００２８】
ここで、貯湯タンク１４内の沸き上げを行っている際に、空気熱交換器１２の表面温度が低下すると、外気の温度と湿度によっては、空気熱交換器１２の表面に霜が生じ、空気熱交換器１２における冷媒と外気の熱交換効率が低下する。
そこで、ヒートポンプ式給湯機１０は、貯湯タンク１４内の沸き上げを行っている状態で、空気熱交換器１２の表面に霜が生じたとの判定をすると、除霜運転を行い、霜を除去して、空気熱交換器１２を効率的に冷媒と外気を熱交換可能な状態にし、除霜運転の後に、沸き上げ運転を再開する。
【００２９】
除霜運転は、図３に示すように、圧縮機２６の作動により循環回路１１に冷媒を循環させ、循環ポンプ１９を最小レベルで作動させることによって行われる。そして、膨張弁２５は開いた状態、即ち冷媒を減圧しない状態が維持される。このようにすることによって、圧縮機２６から吐出されたガス状の冷媒は、ガス状のまま、温度変化がほとんどない状態で、空気熱交換器１２に到達して、空気熱交換器１２の温度を上昇させる。空気熱交換器１２の表面に生じていた霜は、空気熱交換器１２の温度上昇によって水となり、空気熱交換器１２等を収容している図示しない筺体から外に流れ出る。
なお、除霜運転中、貯湯タンク１４の下部から循環回路２１に送り出される湯水は極少量であるので、図３においては、貯湯タンク１４の下部から循環回路２１に送り出される湯水の流れの記載を省略している。
【００３０】
制御手段３２は、貯湯タンク１４内の湯水を沸き上げる能力（以下、「沸き上げ能力」ともいう）が所定の状態となる条件１と、空気熱交換器１２の温度と外気の温度が所定の関係にある条件２とが同タイミングで満たされた際に、空気熱交換器１２に着霜が生じたとの判定を行い、運転モードを沸き上げ運転から除霜運転に切り替える。
条件１は、空気熱交換器１２に着霜が生じると、沸き上げ能力が低下する点に着目したものであり、条件２は、着霜により空気熱交換器１２の温度が低下する点に着目したものである。
【００３１】
制御手段３２は、沸き上げ運転開始後、水熱交換器１３での湯水の昇温幅を基に所定の時間間隔（本実施の形態では、３〜２０秒の範囲）で沸き上げ能力を算出し、沸き上げ運転開始後に算出した複数（全て）の沸き上げ能力の平均である積算平均値を得る。そして、沸き上げ能力の積算平均値が所定回数（本実施の形態では、３〜８回の範囲）連続して低下した際に、制御手段３２は、条件１が満たされたとの判定をする。
【００３２】
沸き上げ能力は、冷媒が水熱交換器１３を通過する湯水に対して単位時間当たりに与える熱エネルギーであり、湯水が水熱交換器１３を通過した際の温度上昇幅を基に算出可能である。本実施の形態では、Ｋを係数、ＰＯを循環ポンプ１９の出力、ＴＩを温度センサ２３が計測した水熱交換器１３へ流入する湯水の温度、ＴＯを温度センサ２４が計測した水熱交換器１３から出た湯水の温度として、沸き上げ能力であるＣは、Ｃ＝Ｋ×ＰＯ×（ＴＯ−ＴＩ）で算出される。
そして、ΣＣを沸き上げ能力の積算値、Ｎを積算回数として、沸き上げ能力の積算平均値であるＣＡＶは、ＣＡＶ＝ΣＣ／Ｎで算出される。
【００３３】
また、制御手段３２は、所定の時間間隔（本実施の形態では、１〜１５秒の範囲）で、温度センサ３１を通じた空気熱交換器１２の温度の検出、及び、温度センサ３３を通じた外気温度の検出をそれぞれ行い、外気の温度に応じて選択した調整温度を外気の温度から差し引いた値が、空気熱交換器１２の温度値に比べて、所定時間、継続して大きい際に、条件２が満たされたとの判定をする。
【００３４】
ここで、本願の発明者らは、種々の実験により、調整温度が固定値であると条件２の判定精度が低くなり、結果として、条件１、２を利用した空気熱交換器１２の着霜の有無の判定精度を低下させることを確認している。
例えば、外気が０℃以上の環境で条件２の成否の判定を正確に行える調整温度を、外気が−１０℃以下の環境下でも用いると、制御手段３２は、空気熱交換器１２が着霜していないにもかかわらず、条件２を満たしていると判定する。
【００３５】
そこで、制御手段３２はそれぞれ温度が異なる複数の調整温度を記憶し、条件２の成否の判定において、外気の温度に応じて一の調整温度を選択するようにしている。
本実施の形態では、制御手段３２により、３つの調整温度が記憶されており、それぞれ、５℃、９℃、１４℃であるが、これに限定されない。
【００３６】
制御手段３２は、この３つの調整温度の他、この３つの調整温度にそれぞれ対応する３つの温度域を記憶している。３つの温度域をそれぞれＷ１、Ｗ２、Ｗ３として、Ｗ１、Ｗ２、Ｗ３は、Ｗ１＜Ｗ２＜Ｗ３の関係にあり、本実施の形態では、Ｗ１が−１０℃以下の温度域（Ｗ１≦−１０℃）、Ｗ２が−１０℃より高く０℃以下の温度域（−１０℃＜Ｗ２≦０℃）、Ｗ３が０℃より高い温度域（Ｗ３＞０℃）である。
【００３７】
制御手段３２は、このＷ１、Ｗ２、Ｗ３にそれぞれ１４℃、９℃、５℃の調整温度を紐付けて記憶している（即ち、複数の温度域を温度が低い温度域ほど大きい値の調整温度を紐付けて記憶している）。
制御手段３２は、記憶している３つの調整温度の中から、外気の温度が属する温度域に紐付いた調整温度を条件２で選択して、条件２の成否を判定する。本実施の形態では、外気の温度≦−１０℃のとき１４℃の調整温度が用いられ、−１０℃＜外気の温度≦０℃のとき９℃の調整温度が用いられ、外気の温度＞０℃のとき５℃の調整温度が用いられる。
【００３８】
ここで、本実施の形態では、制御手段３２が記憶している温度域は３つであるが、これに限定されず、温度域は複数、即ち、少なくとも２つあれば、空気熱交換器１２への着霜の有無の判定精度が大幅に低下しないことが、実験により確認されている。但し、Ｎ個の温度域を設けた際の判定精度に対するＮ＋１個の温度域を設けた際の判定精度の上昇率は、Ｎ＝２の場合が、Ｎが３以上の数値の場合より大きくなることが確認されている。従って、温度域は少なくとも３つあるのが好ましいといえる。なお、Ｎは自然数である。
【００３９】
また、外気の温度から調整温度を差し引いた値が、空気熱交換器１２の温度値に比べて、所定時間、継続して大きいときに条件２が満たされたとする代わりに、ここでいう所定時間（即ち、固定された時間）を、状況に応じて複数の中から選択される時間Ｔに代えて、空気熱交換器１２の着霜の判定精度を高めても良い。これを本実施の形態の変形例として、以下、説明する。
【００４０】
制御手段３２は、温度Ｔとして２つ（即ち、２つ）の値を記憶している。この２つの値は、時間Ｔ１と時間Ｔ１より長い時間Ｔ２（時間Ｔ１＜時間Ｔ２）とであり、制御手段３２は、水熱交換器１３に流入する湯水の温度が所定温度（例えば、１５〜３０℃の範囲の温度）以上である状態では、時間Ｔとして時間Ｔ２を選択し、水熱交換器１３に流入する湯水の温度が所定温度未満である状態では、時間Ｔとして時間Ｔ１を選択する。即ち、制御手段３２は、水熱交換器１３に流入する湯水の温度が所定温度以上の際に、所定温度未満の際より長い時間Ｔを選択する。
【００４１】
そして、制御手段３２は、湯水の温度に合わせて選択されたこの時間Ｔの間、外気の温度から調整温度を差し引いた値が、空気熱交換器１２の温度値に比べて、継続して大きいときに条件２が満たされたという判定をする。
このようにすることで、貯湯タンク１４内の沸き上げが近づいた際に、条件２の成立条件を厳しくでき、空気熱交換器１２に霜が生じていないにもかかわらず、条件２が満たされるのを抑制する。
【実施例】
【００４２】
次に、本発明の作用効果を確認するために行った実施例について説明する。
図４〜図７には、外気の温度が−１０℃近傍に保たれた状態で、貯湯タンクの沸き上げを行い、沸き上げを完了するまでの除霜運転の有無が示されている。
図４、図５は、条件２において、外気の温度によらず調整温度を５℃固定し、水熱交換器に流入する湯水の温度によらず時間Ｔを６０秒で固定した比較例の結果を示し、図６、図７は、調整温度を、外気の温度に応じて切り替える実施例の結果を示すものである。
【００４３】
図４〜図７において、（ａ）〜（ｈ）が示す各値を以下に記す。
（ａ）除霜フラグ（温度軸において０℃の状態で、除霜運転が行われていないことを示し、温度軸において１０℃の状態で、除霜運転が行われていることを示す）
（ｂ）外気の温度（℃）
（ｃ）水熱交換器から出た湯水の温度（℃）
（ｄ）水熱交換器へ流入する湯水の温度（℃）
（ｅ）空気熱交換器の温度（℃）
（ｆ）循環ポンプの出力（Ｗ）
（ｇ）沸き上げ能力（Ｗ）
（ｈ）沸き上げ能力の積算平均値（Ｗ）
【００４４】
また、図４〜図７の横軸である時間軸は、１０００が約１時間にあたる。
そして、図５においては、図４に対し、沸き上げ能力の積算平均値が、単位Ｗを大きくして示され、図７においても、図６に対し、沸き上げ能力の積算平均値が、単位Ｗを大きくして示されている。なお、図５、図７では、沸き上げ能力の記載が省略されている。
【００４５】
調整温度を５℃に固定して行った実験では、図４、図５に示すように、時間８６５の後から時間９３７の後の間、即ち、沸き上げが完了する前に除霜運転が行われ、水熱交換器から出た湯水の温度が低下している。
この実験中、除霜運転の開始時点を含み、どのタイミングにおいても、空気熱交換器に着霜は認められず、不要な除霜運転が行われたことを意味している。これは、沸き上げ開始時から、外気の温度が空気熱交換器の温度に対し５℃を超えて高温であり、条件２が常に満たされた状態になっていたためである。
【００４６】
これに対し、調整温度を固定しなかった際には、図６、図７に示すように、沸き上げの開始時から完了時までに除霜運転はなされなかった。沸き上げが行われている間、空気熱交換器には着霜が認めらず、不要な除霜運転が行われなかったことを示している。
【００４７】
以上、本発明の実施の形態を説明したが、本発明は、上記した形態に限定されるものでなく、要旨を逸脱しない条件の変更等は全て本発明の適用範囲である。
例えば、沸き上げ能力の算出に、循環ポンプの出力値を用いることに限定されず、流量センサの計測値を用いることができる。流量センサの計測値を用いる場合、流量センサは、水熱交換器を通過する湯水の量を計測できる配置に設けられる。
【符号の説明】
【００４８】
１０：ヒートポンプ式給湯機、１１：循環回路、１２：空気熱交換器、１３：水熱交換器、１４：貯湯タンク、１５：出湯管、１６：水道管、１７：温度センサ、１８：タンク側制御手段、１９：循環ポンプ、２０：三方弁、２１：循環回路、２２：バイパス管、２３、２４：温度センサ、２５：膨張弁、２６：圧縮機、２７：プロペラファン、２８：アキュムレータ、２９、３０、３１：温度センサ、３２：制御手段、３３：温度センサ、３４：熱交換器
【図１】
2015094517.tif 000003
【図２】
2015094517.tif 000004
【図３】
2015094517.tif 000005
【図４】
2015094517.tif 000006
【図５】
2015094517.tif 000007
【図６】
2015094517.tif 000008
【図７】
2015094517.tif 000009